(57)【特許請求の範囲】
【請求項１】
筐体と、前記筐体上面に設置され、原稿を載置するための透明な板状部材からなる原稿台と、前記筐体に開閉自在に取り付けられ、前記原稿台上に載置された前記原稿を押さえる原稿カバーと、前記筐体内に前記原稿台の下面に沿って移動自在に設けられ、前記原稿に光を照射する発光部及び前記原稿で反射した光を受光する受光部を有し、前記受光部での受光信号に基づいて前記原稿を読み取るライン状の原稿読み取りセンサと、を備えたスキャナにおいて、
前記筐体には、前記原稿が載置される基準位置となる前記原稿台のコーナー部の外側に近接して平面視Ｌ字状の開口部が設けられると共に、前記開口部内には光を透過する光透過部材が設置され、
前記原稿読み取りセンサは、待機時に、前記原稿台の外側であって前記Ｌ字状の開口部の一辺を含んだ下方位置に配置されると共に、前記発光部が発光状態とされ、前記発光部は、赤（Ｒ）、緑（Ｇ）及び青（Ｂ）の三色を個別に点灯制御して任意の色で発光可能な構成とされており、
前記開口部の前記光透過部材を通して前記発光部の光が前記筐体外部に漏出して、前記原稿が載置される基準位置をユーザに視認させることができるようにしたことを特徴とするスキャナ。
【発明の詳細な説明】
【技術分野】
【０００１】
本発明は、原稿を読み取る原稿読み取りセンサを備えたスキャナに関する。
【背景技術】
【０００２】
従来から、原稿を載置する原稿台と、原稿台の下面に沿って移動自在に設けられた原稿を読み取るライン状の原稿読み取りセンサとを備えたフラットベッド型のスキャナが使用されている。原稿読み取りセンサは、原稿に光を照射する発光部と原稿で反射した光を受光する受光部とからなる。例えば、原稿読み取りセンサには、発光部が蛍光管からなり、受光部がＣＣＤ（Ｃｈａｒｇｅ  ＣｏｕｐｌｅｄＤｅｖｉｃｅ）からなるＣＣＤ方式センサや、発光部がＬＥＤ（Ｌｉｇｈｔ  Ｅｍｉｔｔｉｎｇ  Ｄｉｏｄｅ）からなり、受光部がＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）からなるＣＩＳ（Ｃｏｎｔａｃｔ  Ｉｍａｇｅ  Ｓｅｎｓｏｒ）方式センサがある。原稿読み取りセンサは、受光部での受光信号に基づいて原稿を読み取る。
【０００３】
原稿読み取りセンサは、原稿読み取り開始位置、すなわち原稿読み取り原点から、主走査方向に１ラインずつ読み取り、原稿台の下面に沿って副走査方向に移動して、原稿台に載置された原稿を読み取る。ここに、ユーザが原稿読み取り原点、すなわち原稿が載置される基準位置（以下、原稿載置基準位置という）を知ることが必要である。そこで、原稿載置基準位置をユーザに視認させるため、原稿載置基準位置に近接して、筐体に原稿載置基準位置を示す刻印が付けられたスキャナが知られている。また、原稿載置基準位置の近傍であって、筐体上に、原稿載置基準位置を示すシールが張られたスキャナが知られている（例えば、特許文献１参照）。さらに、原稿載置基準位置に近接して筐体に設置され、原稿載置基準位置を示すＬＥＤランプを備えたスキャナが知られている。
【特許文献１】特開２００１−６１０２５号公報
【発明の開示】
【発明が解決しようとする課題】
【０００４】
しかしながら、原稿載置基準位置を示す刻印が付けられたスキャナでは、刻印が小さいため、ユーザは一見して刻印を認識しにくく、原稿載置基準位置を把握しにくかった。また、刻印が着色されていない場合、刻印が筐体と同色であるために目立たず、一見して原稿基準位置を視認することは難しかった。特に、スキャナの周囲が暗い場合、ユーザは刻印を見つけにくく、一見して原稿基準位置を視認することが困難であった。刻印が、筐体と別色で着色されている場合であっても、長年の使用により塗料が剥げて刻印が筐体と同色になり、上述のように原稿基準位置を認識することは難しかった。特許文献１に記載のスキャナでは、原稿載置基準位置を示すシールが筐体上に張られているため、長年の使用により塗料が剥げてシールに描かれた原稿載置基準位置を示す印が見難くなったりしていた。また、手や本等が幾度もシールに触れることによりシールが端から捲れてシールが剥がれたりする。原稿載置基準位置を示すＬＥＤランプが設けられたスキャナでは、ＬＥＤランプを構成する電子基板、電気回路等が必要となり、素子や回路等の部品点数が増加することによりコストが高くなっていた。
【０００５】
本発明は、上記課題を解決するためになされたものであり、原稿載置基準位置をユーザに容易に視認させることができると共に、部品点数を削減してコストダウンを図ることができるスキャナを提供することを目的とする。
【課題を解決するための手段】
【０００６】
上記目的を達成するために請求項１の発明は、筐体と、前記筐体上面に設置され、原稿を載置するための透明な板状部材からなる原稿台と、前記筐体に開閉自在に取り付けられ、前記原稿台上に載置された前記原稿を押さえる原稿カバーと、前記筐体内に前記原稿台の下面に沿って移動自在に設けられ、前記原稿に光を照射する発光部及び前記原稿で反射した光を受光する受光部を有し、前記受光部での受光信号に基づいて前記原稿を読み取るライン状の原稿読み取りセンサと、を備えたスキャナにおいて、前記筐体には、前記原稿が載置される基準位置となる前記原稿台のコーナー部の外側に近接して平面視Ｌ字状の開口部が設けられると共に、前記開口部内には光を透過する光透過部材が設置され、前記原稿読み取りセンサは、待機時に、前記原稿台の外側であって前記Ｌ字状の開口部の一辺を含んだ下方位置に配置されると共に、前記発光部が発光状態とされ、前記発光部は、赤（ＲＥＤ；以下Ｒと略す）、緑（ＧＲＥＥＮ；以下Ｇと略す）及び青（ＢＬＵＥ；以下Ｂと略す）の三色を個別に点灯制御して任意の色で発光可能な構成とされており、前記開口部の前記光透過部材を通して前記発光部の光が前記筐体外部に漏出して、前記原稿が載置される基準位置をユーザに視認させることができるようにしたことを特徴とする。
【発明の効果】
【０００９】
以上のように、請求項１の発明によれば、筐体には、平面視Ｌ字状の開口部が原稿台のコーナー部の外側に近接して設置され、開口部には光透過部材が設けられている。発光部と受光部とからなる原稿読み取りセンサは、待機時に、平面視Ｌ字状の開口部の一辺を含んだ下方位置に配置されると共に、発光部が発光状態とされる。このため、待機時には、発光部の光が、原稿載置基準位置を示す開口部の光透過部材から外部に漏出することにより、ユーザに原稿載置基準位置を容易に視認させることができる。光によって原稿基準位置を示すことより、スキャナの周囲が暗い場合であっても、原稿載置基準位置をユーザに容易にかつ明確に視認させることができる。
【００１０】
開口部の光透過部材の形状を平面視Ｌ字状とすることにより、ユーザに、原稿を原稿台の角に合わせて載置させるために、原稿載置基準位置を含む原稿台のコーナー部をユーザに容易に認識させることができる。
【００１１】
原稿載置基準位置を示すために、スキャナに必要な原稿読み取りセンサの発光部の光を利用することにより、特別な発光手段を別途設けることなく、部品点数を削減してコストダウンを図ることができる。
【００１２】
原稿読み取りセンサの発光部は、赤（Ｒ）、緑（Ｇ）及び青（Ｂ）の三色を個別に点灯制御して任意の色で発光可能な構成とされている。このため、発光部の光の色を筐体の色等に合わせて調整することができ、原稿載置基準位置を示す光の視認性を高め、ユーザに原稿載置基準位置を容易に視覚を通して認識させることができる。
【発明を実施するための最良の形態】
【００１７】
本発明の第１の実施の形態によるスキャナについて図１乃至図３を参照して説明する。スキャナはフラットベッド型であり、筐体１と、原稿を載置するための原稿台２と、原稿台２上に載置された原稿を押さえる原稿カバー３と、筐体１内に設けられ、原稿を読み取るライン状の原稿読み取りセンサ５等を備え、筐体１には、原稿載置基準位置を示すための平面視Ｌ字状の開口部１１が設けられると共に、開口部１１内には光を透過する光透過部材４が設置されている。
【００１８】
図１に示されるように、ガラス板などの透明な板状部材からなる原稿台２は筐体１上面に設置され、原稿台２に載置された原稿を押さえるために、原稿カバー３は筐体１に開閉自在に取り付けられている。ライン状の原稿読み取りセンサ５は、筐体１内に、原稿台２の下面に沿って副走査方向に移動自在に設けられている。筐体１には操作部が設けられ、操作部はスキャンボタン７と、保存ボタン８と、コピーボタン９と、Ｅ−ｍａｉｌボタン１０とで構成されている。
【００１９】
ユーザが原稿を原稿台２に載置して原稿カバー３を閉じ、スキャンボタン７を押すとスキャンが開始される。ライン状の原稿読み取りセンサ５は、原稿読み取り開始位置、すなわち原稿読み取り原点から、主走査方向に１ラインずつ読み取り、原稿台２の下面に沿って副走査方向に移動して、原稿台２に載置された原稿を読み取る。原稿を読み取った後、保存ボタン８を押すと、スキャナと接続した不図示のコンピュータに原稿のデータを保存することができる。コピーボタン９を押すと、スキャナと接続した不図示のコンピュータを介して、読み取った原稿を不図示のプリンタで印刷することができる。Ｅ−ｍａｉｌボタン１０を押すと、スキャナと接続した不図示のコンピュータにおいて、読み取った原稿のデータをメールに添付することができる。
【００２０】
図２及び図３に示されるように、筐体１には、原稿載置基準位置となる原稿台２のコーナー部の外側に近接して平面視Ｌ字状の開口部１１が設けられると共に、開口部１１にはガラス、プラスチックなどの光を透過する透明な光透過部材４が埋め込まれている。開口部１１の光透過部材４の形状を平面視Ｌ字状とすることにより、原稿読み取り原点、すなわち原稿載置基準位置を含む原稿台２のコーナー部をユーザに容易に認識させることができる。このため、ユーザに、原稿の角を原稿台の角に合わせて原稿を載置させることが容易にできる。
【００２１】
原稿読み取りセンサ５は、待機時に、原稿台２の外側であってＬ字状の開口部１１の一辺を含んだ下方位置に配置されている。原稿読み取りセンサ５は、原稿に光を照射する不図示の発光部と原稿で反射した光を受光する不図示の受光部とからなり、待機時に発光部が発光状態とされる。待機時には、原稿載置基準位置に近接して設けられた光透過部材４を通して、発光部の光が筐体１の外部に漏出し、ユーザに原稿載置基準位置を容易に認識させることができる。スキャナを使用するためにユーザが原稿カバー３を開けた場合、スキャナの周囲が暗い場合であっても、発光部の光によってユーザは容易に原稿載置基準位置を把握することができる。発光部の光を集光するため、光透過部材４はレンズであることが好ましい。例えば、外部から見える上面が平面であり、下面が凸型形状であるレンズを光透過部材４とする。光透過部材４がレンズである場合、光透過部材４は発光部の光を集光し、集光した光を外部に漏出させる。外部に漏出した光であって原稿載置基準位置を示す光は、輝度の高い光となり、ユーザに原稿載置基準位置を容易に認識させることができる。原稿載置基準位置を示すために、スキャナに必要な原稿読み取りセンサの発光部の光を用いることにより、ＬＥＤなどの素子や回路といった特別な発光手段を別途設けることが不要となり、部品点数を削減してコストダウンを図ることができる。
【００２２】
原稿読み取りセンサ５は、発光部が蛍光管からなり、受光部がＣＣＤからなるＣＣＤ方式センサである場合と、発光部がＬＥＤからなり、受光部がＣＭＯＳからなるＣＩＳ方式センサである場合とがある。
【００２３】
原稿読み取りセンサ５がＣＣＤ方式である場合、蛍光管は原稿台２に載置された原稿に光を照射し、原稿で反射した光は鏡、レンズ、赤（Ｒ）、緑（Ｇ）及び青（Ｂ）のフィルタを介して、ＣＣＤセンサで受光される。各色のフィルタは、原稿で反射した光のうち、各フィルタの色に対応する光を透過させる。各色毎の受光信号に基づき、原稿読み取りセンサ５は原稿を読み取る。待機時には、蛍光管が発光し、蛍光管の光が上方にある光透過部材４を透過し、透過した光がユーザに原稿載置基準位置を容易に把握させることを可能とする。
【００２４】
原稿読み取りセンサ５がＣＩＳ方式である場合、発光部はＲ、Ｇ、Ｂ各色の光を発光するＬＥＤからなる。ＬＥＤは各色の光を順に原稿に照射し、原稿で反射した光を、ライン状に並べられたＣＭＯＳセンサで順に受光する。各色の発光毎の受光信号に基づき、原稿読み取りセンサ５は原稿を読み取る。待機時には、ＬＥＤが発光し、ＬＥＤの光が上方にある光透過部材４を透過し、透過して外部に漏出した光がユーザに原稿載置基準位置を容易に把握させることを可能とする。待機時の発光部の光の色は、Ｒ、Ｇ、Ｂ各色のＬＥＤを個別に点灯制御して輝度を調整することにより、任意の色とすることができる。例えば、スキャナに高級感を出すために、発光部の光の色を、筐体１と同一色にしたりする。また、原稿載置基準位置の視認性を高めるために、発光部の光の色を、筐体１の補色にしたりする。スキャナにエラーが発生したり、スキャナが故障したりした際に、発光部はエラーや故障をユーザに知らせる動作をする。例えば、赤色点灯したり、待機時の光とは異なった色の光を発光したり、また点滅したりする。このため、ユーザに異常を知らせるために、ＬＥＤなどの素子や回路といった特別な発光手段を別途設けることなく、スキャナに必要とされる原稿読み取りセンサ５の発光部の光を利用することにより、部品点数を削減してコストを削減することができる。
【００２５】
次に、第２の実施形態によるスキャナについて図４乃至図６を参照して説明する。第２の実施形態は、筐体１に開口部１１及び光透過部材４が設けられていると共に、原稿カバー３にも開口部１２及び光透過部材６が設けられている点で第１の実施形態と異なる。図４に示すように、原稿カバー３の光透過部材６は平面視Ｌ字形状であり、筐体１の光透過部材４と同一形状である。
【００２６】
図５及び図６に示すように、原稿カバー３が閉じられた時に、筐体１の開口部１１の真上となる位置に、原稿カバー３の開口部１２が設けられると共に、開口部１２にはガラス、プラスチックなどの光を透過する透明な光透過部材６が埋め込まれている。筐体１の光透過部材４と原稿カバー３の光透過部材６とは同じ大きさであり、原稿カバー３が閉じられると平面視で重なる。原稿カバー３が閉じられており、スキャナが待機している時に、原稿読み取りセンサ５の発光部が放射する光は、筐体１の光透過部材４と原稿カバー３の光透過部材６とを透過して、原稿カバー３外部に漏出する。このため、ユーザは、スキャナを使用するために原稿カバー３を開ける前から原稿載置基準位置を容易に認識することができ、スムーズにスキャナを使用することができる。スキャナにエラーが発生したり、スキャナが故障したりした際に、発光部は、赤色点灯したり、待機時の光とは異なった色の光を発光したり、また点滅したりする。このため、原稿カバー３の光透過部材６とを透過した発光部の光により、原稿カバー３が閉じられた状態であっても、ユーザにスキャナの異常を認知させることができ、ユーザが異常状態に対して早期に対応できる。光透過部材４を透過した発光部の光を集光するため、光透過部材６はレンズであることが好ましい。例えば、原稿カバー３を閉じた状態で外部から見える上面が平面であり、下面が凸型形状であるレンズを光透過部材６とする。光透過部材６がレンズである場合、光透過部材６は、光透過部材４を透過した発光部の光を集光し、集光した光を外部に漏出させる。外部に漏出した原稿載置基準位置を示す光は、輝度の高い光となり、ユーザに原稿載置基準位置を容易に認識させることができる。
【００２７】
なお、本発明は、種々の実施形態の構成に限られることはなく、種々の変形が可能である。例えば、筐体１に設けられる開口部１１及び光透過部材４、原稿カバー３に設けられる開口部１２及び光透過部材６について、形状は平面視Ｌ字状に限られない。原稿載置基準位置を指す平面視矢印状であったり、平面視円状であったり、平面視線状であったり、平面視四角形状であったりしてもよい。光を透過する光透過部材４、６は透明色に限られず、筐体１と同一色に、筐体１の補色に、または両色とは異なった色に着色されていてもよい。光透過部材４、６はレンズに限られず、平板であってもよい。また、上記において、筐体１に開口部１１が設けられ、開口部１１内に光透過部材４が設置された場合について説明したが、開口部１１内に光透過部材４が設置されなくてもよい。また、原稿カバー３に開口部１２が設けられ、開口部１２内に光透過部材６が設置された場合について説明したが、開口部１２内に光透過部材６が設置されなくてもよい。また、光透過部材４と光透過部材６とは同一形状、同じ大きさに限定されず、異なった形状、異なった大きさであってもよい
【図面の簡単な説明】
【００２８】
【図１】本発明の第１の実施形態における、原稿カバーが開いている時のスキャナの斜視図。
【図２】上記第１の実施の形態における、原稿カバーが開いている時のスキャナの平面図。
【図３】図２におけるＡ−Ａ線断面図。
【図４】本発明の第２の実施形態における、原稿カバーが開いている時のスキャナの斜視図。
【図５】上記第２の実施形態における、原稿カバーが閉じている時のスキャナの平面図。
【図６】図５におけるＢ−Ｂ線断面図。
【符号の説明】
【００２９】
１  筐体
２  原稿台
３  原稿カバー
４、６  光透過部材
５  原稿読み取りセンサ
７  スキャンボタン
８  保存ボタン
９  コピーボタン
１０  Ｅ−ｍａｉｌボタン
１１、１２  開口部
【図１】
0004449855.tif 000002
【図２】
0004449855.tif 000003
【図３】
0004449855.tif 000004
【図４】
0004449855.tif 000005
【図５】
0004449855.tif 000006
【図６】
0004449855.tif 000007